(57)【要約】【課題】  本発明は、狭くなった内装用パネルの外周と下地間の隙間やクリップの頭部と内装用パネル間の隙間に差込み易く、内装用パネルを損傷せず、様々な取付け状態に対応できるパネル取外し器具とパネル取外し器具としてのクリップ取外し器具を提供する。【解決手段】  本発明のパネル取外し器具は、自動車の車内に取付けられた内装用パネルを取外す器具であって、先端に向かって漸次薄くなる肉薄の板状先端を有する先端部材と、該先端部材の他端に取付けられた把手部と、を有することを特徴とする。【選択図】図１
2005111639.tif 000002
【特許請求の範囲】
【請求項１】
自動車の車内に取付けられた内装用パネルを取外す器具であって、
先端に向かって漸次薄くなる肉薄の平板状先端を有する先端部材と、
該先端部材の他端に取付けられた把手部と、
を有することを特徴とするパネル取外し器具。
【請求項２】
自動車の車内に取付けられた内装用パネルを取外す器具であって、
先端面と側面の交点が角で直接交叉する肉薄の平板状先端を有する先端部材と、
該先端部材の他端に取付けられた把手部と、
を有することを特徴とするパネル取外し器具。
【請求項３】
前記先端部材の先端が、請求項１及び請求項２の先端形状を併せ持っていることを特徴とするパネル取外し器具。
【請求項４】
前記請求項１乃至３の任意の複数個の先端部材を有し、該複数個の先端部材の基部が、把手部の端部に着脱或は回動自在に取付けられ、把手部に取付けられた固定部材により固定されることを特徴とするパネル取外し器具。
【請求項５】
分岐された肉薄の平板状の先端を有する先端部材と、
前記請求項１乃至３のうち任意の先端を有する先端部材と、
を有し、
該複数個の先端部材の基部が、把手部の端部に着脱或は回動自在に取付けられ、
該把手部に取付けられた先端部材の基部が、把手部に取付けられた固定部材により固定されることを特徴とするパネル取外し器具。
【発明の詳細な説明】
【技術分野】
【０００１】
本発明は、パネル取外し器具に関し、特に、自動車の車内に部品としての内装用のパネルを取付けるクリップ等の取付け部材、内装用のパネルからクリップ等の取付け部材を取外した後の内装用パネルを取外すパネル取外し器具に関する。
【背景技術】
【０００２】
第１の従来技術は、パネル取外し器具についてである。自動車の車内に部品としての内装用パネルが、クリップで取付けられていた。この内装用パネルからクリップを取外した後、内装用パネルを取外す器具として種々の形状の合成樹脂製パネル取外し器具があった。何れのパネル取外し器具も先端部材の先端の肉厚が厚く、先端の両側の角が円弧状に丸くなっており、１本の先端部材と１つの把手部がセットで固定されていた。前記パネル取外し器具は、合成樹脂製のため先端に傾斜面を設けると先端部材の最先端に所定の強度を維持できないため傾斜面を設けることができなかった。パネル取外し器具で内装用パネルを取り外す時は、内装用パネルを下地に取付けるクリップ等を外し、内装用パネルの外周と内装用パネルが取付けられた下地との間の隙間に、前記パネル取外し器具の先端部材の先端をこじ入れて外していた。しかし、特許出願されたものはなかった。
【０００３】
第２の従来技術は、パネル取り外し器具としてのクリップ取外し器具についてである。自動車の車内に部品としての内装用パネルが、クリップで取付けられていた。このクリップを取外すクリップ取外し工具として特開平１１―１２３６６５号(特許文献１)があった。このクリップ取外し工具は、Ｕ字状の嵌合溝を有する板状薄肉部を一端に設けた棒状のクリップ引き抜き具と、先端が略Ｌ型又はＴ型棒状の腕部を有する押上げ器具の２つの器具からなっていた。両器具とも先端のＵ字状部材と略Ｌ型又はＴ型腕部の基部に把手部が固定して取付けられていた。
【０００４】
第３の従来技術は、自動車のエンジンルーム内に取付けられたホースを引き抜くホース引抜き器具についてである。エンジンルーム内の複数の配管の端部間は、ホースで連結されており、この配管の端部に連結したホースの端部を引抜く時は、尖ったホース引抜き工具の先端を配管の外周とホースの端部の間に差込んで引き抜いていた。この工具は先端がＣ型、Ｕ型、Ｖ型等に折り曲げられた夫々の棒状体の基部に把手部が固定して取付けられていた。しかしながら、特許として出願されたものはなかった。
【特許文献１】特開平１１―１２３６６５号
【０００５】
近年、自動車部品の製造組立て技術の進歩と軽量化の要請から前記内装用パネルも薄くなると共に取付け精度の向上から内装用パネルの外周と同パネルが取付けられた下地との間の隙間が狭くなり、従来のパネル取外し器具では対応し難くなってきた。又、車内に取付けたパネルが簡単に取れないようにクリップ等の取り付け部材も精巧になり、従来のクリップ取外し器具が使い難くなっている。当然、配管に取付けられてホースの密着性も高くなり、従来のホース引抜き工具もまた、対応し難くなっていた。
【発明の開示】
【発明が解決しようとする課題】
【０００６】
前記のように、クリップの精度もクリップによる内装用パネルの取付け精度も向上し、クリップと内装用パネル、内装用パネルの外周と下地間の隙間が狭くなっている上に、取付けられた状態も様々である。このような状況下で従来のパネル取外し器具により内装用パネルの外周と下地間の隙間にパネル取外し器具の先端部材の先端を無理にこじ入れると、内装用パネルを損傷し易かった。又、クリップの頭部と内装用パネルの隙間にクリップ取外し器具の先端をこじ入れる場合も内装用パネルを損傷し易かった。更に、配管の外周とホース間の密着度も高まり、従来のホース引抜き工具では対応し難くなっていた。
【０００７】
本発明は、狭くなった内装用パネルの外周と下地間の隙間やクリップの頭部と内装用パネル間の隙間或はホースと配管の表面間の隙間に夫々差込み易く、内装用パネルやホースを損傷せず、様々な取付け状態に対応できるパネル取外し器具とパネル取外し器具としてのクリップ取外し器具及びホース引抜き工具を提供するものである。
【課題を解決するための手段】
【０００８】
第１の発明のパネル取外し器具は、自動車の車内に取付けられた内装用パネルを取外す器具であって、先端に向かって漸次薄くなる肉薄の平板状先端部材と、該先端部材の他端に取付けられた把手部とを有することを特徴とする。
【０００９】
第２の発明のパネル取外し器具は、先端面と側面の交点が角で直接交叉する薄肉の平板  状先端を有する先端部材と、該先端部材の他単に取り付けられた把手部と、を有することを特徴とする。
【００１０】
第３の発明のパネル取外し器具は、前記先端部材の先端が、第１の発明と第２の発明の先端形状を併せ持っていることを特徴とする。
【００１１】
第４の発明のパネル取外し器具は、前記第１と第２の発明の任意の複数個の先端部材を有し、該複数個の先端部材の基部が、把手部に着脱或は回動自在に取付けられ、把手部に取付けられた固定部材により固定されることを特徴とする。
【００１２】
第５の発明のパネル取外し器具は、分岐された薄肉の平板状の先端を有する先端部材と、前記第１乃至第３の発明のうち任意の先端を有する先端部材と、を有し、該複数個の先端部材の基部が、把手部に着脱或は回動自在に取付けられ、該把手部に取付けられた先端部材の基部が、把手部取り付けられた固定部材により固定されることを特徴とする。
と、を有することを特徴とする。
【発明の効果】
【００１３】
第１の発明のパネル取外し器具は、先端に向かって漸次薄くなる肉薄の平板状先端部材を有しているので、先端部材の先端が大変薄く、内装用パネルの外周と同パネルを取付けた下地との間の狭い隙間に先端を容易且つ確実にこじ入れられるから、内装用パネルの特に表面を損傷せずに取外し易い。
【００１４】
第２の発明のパネル取外し器具は、薄肉の平板状先端部材の先端面と側面の交点が角で直接交叉しているので、角張った内装用パネルの角と下地の間の隙間に先端部材の角からこじ入れられるから、内装用パネルの特に角を損傷せずに取外し易い。
【００１５】
第３の発明のパネル取外し器具は、先端部材の先端が第１と第２の発明の先端形状を併せ持っているので、第１と第２の発明の両者の効果を有し、1つのパネル取外し器具で内装用パネルの外周の直線部分からでも、角張った角からでも状況に応じ何処からでも内装用パネルの表面を損傷せずに取外せる。
【００１６】
第４の発明のパネル取外し器具は、第１乃至第３の発明の任意の複数個の先端部材を有し、該複数個の先端部材の基部が、把手部の端部に着脱或は回動自在に取付けられ、刃手部に取付けられた固定部材により固定されるので、必要に応じ必要な先端形状の先端部材により、内装用パネルの外周の任意な位置から取外すことが、１つのパネル取外し器具でき、作業効率が高まった。
【００１７】
第５の発明のパネル取外し器具は、第４の発明の先端部材と、分岐された薄肉の平板状の先端有しているので、第４の発明のパネル取外し器具のこうかに加え、１つのパネル取外し器具でクリップを取外すと共に下地からパネルを取外せるようになり、更に、作業効率が高まった
【発明を実施するための最良の形態】
【００１８】
以下、本発明の実施の形態を添付図面を参照して説明する。始めに、自動車車内に取付けられた内装用パネルを取外すパネル取外し器具について説明する。図１（ａ）は、本発明の１実施例であるパネル取外し器具の要部拡大平面図（ｂ）は、（ａ）のＡ―Ａ断面図である。図２は、パネル取外し器具の異なる実施例の平面図である。図１に示すように、両端が異なる形状の先端を有する先端部材２を両端が突出するようにして把手部１に取り付け、固定部材３で固定する。図２に示すように、先端部材２は中間で分割された２つの先端部材２ａ，２ｂであっても良い。
【００１９】
この先端部材２は、平板状に形成され、先端の両側は、少なくとも１ケ所が尖った角２ｃ（鋭角、直角、鈍角の何れでもよく、先端面と側面の交点が交叉する明確な尖った角になっておればよい）になっている。又、図１（ｂ）に示すように、先端部材２の先端は、刃物の刃の断面のように先端の表裏の何れか或は両方に傾斜面４を有し、先端に向かって漸次薄くなり尖っている。
【００２０】
先端部材２の素材は、先端を薄く造るため特に鋼鉄（或はステンレススチール）が望ましく、図示しないが、先端の断面を「く」型に折り曲げ、「く」型の突出部を梃子のとして機能させることもできる。
【００２１】
上記構成の先端部材２を有するパネル取外し器具は、先端部材２の先端に傾斜面４が設けられ先端が薄く尖っているため、下地にクリップ等で取付けた内装用パネルのクリップを取外した後、内装用パネルの外周と下地の間の狭い隙間に差込み易いから内装用パネルを傷付けずに取外せる。又、先端部材２の先端に１以上の角があるものは、内装部材の外周の角張った角と下地の間の隙間に先端部材２の先端から差込むと内装パネルを取り外し易い。
【００２２】
図３は、パネル取外し器具の異なる実施例の分解平面図であり、図４は、図３のＢ―Ｂ線断面図である。この実施例は、把手部１１の端部に設けた穴（或はスリット）１２に先端部材１３の基部を着脱自在に挿脱するものである。
把手部１１の端部には、先端部材１３の基部を挿入する穴１２があり、この穴１２に挿入或は埋設される全体が略コ状に折り曲げられた固定部材としての板バネ１４を嵌装する。板バネ１４は、１枚の帯状の板をコ状に折り曲げたもので、コ状の折曲部１５の両端に折曲片１６ａ，１６ｂが延設されている。一方の折曲片１６ａは、更に折曲されて付勢力が備わり、挿入された先端部材１３の基部を折曲片１６ｂの間で挟み付け固定できる。折曲部１５内は折曲片１６ａ，１６ｂ間より広く、折曲片１６ａ，１６ｂの開口端部もやや広がり、先端部材１３の基部を挿入し易くなっている。
【００２３】
先端部材１３の基部には膨大部１７が設けられている。先端部材１３の基部を前記把手部１１の穴１２に挿入すると先端部材１３の膨大部１７が板バネ１４の広がった折曲部１５内に嵌り込み、先端部材１３の基部が折曲片１６ａ，１６ｂ間に挟みつけられて固定される。このように把手部１１の穴１２に挿入され、基部が固定された先端部材１３は、強く引っ張らないと抜けない。尚、固定部材としての板バネ１４も、先端部材１３の基部の形状も、図示したものに拘るものではなく、穴１２に差込んだ先端部材１３の基部を固定でき強く引っ張らないと抜けなければ如何なる形状と構成の固定部材であっても良い。
【００２４】
上記構成のパネル取外し器具は、内装用パネルの外周と下地間の間隙の状態に合わせ使い分けできるように先端の形状が異なる種々の先端部材１３を備えている。このパネル取外し器具は、先端部材１３の基部から把手部１１の穴１２に差込むだけで固定され、先端部材１３を強く引っ張るとワンタッチで取り外せ、着脱が容易にできる。
【００２５】
図５は、パネル取外し器具の異なる実施例の斜視図であり、図６は、パネル取外し器具の異なる実施例の要部拡大断面図である。本実施例は、把手部２１の端部に設けた穴２２に先端部材２３の基部に設けた丸棒からなる棒体２４を挿入し、別途設けた筒型の固定部材２５を強く締め付けて固定するものである。
【００２６】
先端部材２３の基部を棒体２４とし、この棒体２４を挿入する穴２２を把手部２１端部に設ける。把手部２１の端部外周にネジ溝２６を設ける。このネジ溝２６に螺着されるネジ溝２７を内面に有し、中間に先端部材２３の棒体２４が挿通される孔２８を有する筒型の固定部材２５を設ける。固定部材２５の一端の孔２８は棒体２４を挿通させる孔で小さく、他端側は把手部２１の先端を挿入できる大きな開口である。固定部材２５の一端側の内面には、孔２８の外周から開口に向かって順次広がる傾斜面２９を有する円錐台形の空間が形成されている。把手部２１の先端に固定部材２５を緩く螺着し、把手部２１の先端と固定部材２５の内面の一端側で傾斜面２９により円錐台形に形成された空間内にリング（或は球体）３０を嵌め込む。
【００２７】
この把手部２１の穴２２に棒体２４を挿入し、固定部材２５を強く締め付けると、固定部材２５の内面の円錐台形の傾斜面２９によりリング３０が外側から締め付けられ、リング３０の内面により棒体２４の外周が締め付けられ、把手部２１と先端部材２３が固定される。固定部材２５を逆回転させて緩めるとリング３０の内径が拡大し把手部２１から先端部材２３を簡単に取外せる。
【００２８】
上記のように、先端部材２３と把手部２１を着脱自在としたので、種々形状の異なる先端部材２３を用意し、必要に応じ簡単に交換できる使い勝手の良いパネル取外し器具が得られた。
【００２９】
図７は、パネル取外し器具の異なる実施例の要部分解断面図である。本実施例は、把手部３１に設けたネジ溝３２付穴３３に先端部材の基部３４に設けたネジ溝３５を着脱自在に螺着し、固定部材としてのナット３６を強く締め付けて固定するものである。
【００３０】
図示したように、把手部３１の端部にネジ溝３２付穴３３を設け、先端部材の基部３４の外周にネジ溝３５を形成し、ネジ溝３５に固定部材としてのナット３６を螺着する。ナット３６をネジ溝３５に螺着し、先端部材の基部寄りにねじ込み、基部３４のネジ溝３５を把手部３１のネジ溝３２付穴３３にねじ込む。このとき、ナット３６と把手部３１の先端の間に間隔ができるようにしておく。そして、ナット３６が把手部３１の先端に強く当接するまでナット３６をねじ込むと、先端部材と把手部３１とが固定される。先端部材を外すには、ナット３６を緩めた上で先端部材と把手部３１を逆転させる。
【００３１】
上記構成のパネル取外し器具は、図５、図６の実施例の効果に加え、固定部材が市販のナット３６で良く、単に先端部材の基部３４にナット３６を螺着する構造なので、製造コストを大幅に低減できる。
【００３２】
図８は、パネル取外し器具の異なる実施例の要部分解断面図であり、図９は、図８のＣ―Ｃ線切断断面図であり、図１０は、図８のＤ―Ｄ線切断断面図である。この実施例は、把手部４１に設けた穴４２に先端部材の基部に設けた棒体４３を差込み、筒型固定部材４４で固定するものである
【００３３】
図に示すように、把手部４１に穴４２を設け、穴４２の外周に軸方向に添った１以上の溝４５（図では２つ）を設ける。把手部４１の端部に、外周にネジ溝４６を有する突出部４７を突設する。突出部４７の先端には傾斜面４８が形成され断面が円錐台形となっている。突出部４７に孔４９を設けると共に軸方向の１以上のスリット５０を設ける。把手部４１の穴４２と突出部４７の孔４９とは同じ径で中心も一致している。把手部４１の穴４２の外周の溝４５と突出部４７のスリット５０も同じ大きさで中心も一致している。
【００３４】
固定部材４４は、突出部４７の外周のネジ溝４６に螺着されるネジ溝５１を内面に有する筒状である。筒状の固定部材４４の先端側の内面は傾斜面５２を有し、断面が円錐台形となっている。
【００３５】
先端部材４３の基部は棒状になっており、端部には先端部材４３の軸に添って１以上の突条（図では２つ）５３が、軸心から放射方向に突設されている。この突条５３は、把手部４１の穴４２の外周の溝４５を通過し、突出部４７のスリット５０内に進入する。この突条５３は、把手部４１に先端部材の棒体４３を挿通して固定したとき、回り止めとなるものである。
【００３６】
上記構成のパネル取外し器具の組立て方法は、次の通りである。把手部４１の先端の突出部４７に固定部材４４を緩く螺着した状態で、突出部４７のスリット５０に先端部材の棒体４３外周の突条５３を位置合わせし、把手部４１の穴４２に先端部材の棒体４３を差込む。次いで、固定部材４４を突出部４７に強く締め付けると、固定部材４４の傾斜面５２により傾斜面４８が強く押され、把手部４１先端の突出部４７が内側に撓み、先端部材の棒体４３を強く挟みつけるから把手部４１に先端部材４３が堅く固定される。この固定部材４４を緩めると、先端部材を引き抜くことができる。このパネル取外し器具も前記実施例と同様の効果が得られる。
【００３７】
図１１は、パネル取外し器具の異なる実施例の要部平面図であり、図１２は、図１１のＥ―Ｅ線断面図である。本実施例は、把手部６１の端部に先端形状の異なる複数の先端部材６２（６２ａ，６２ｂ，６２ｃ，６２ｄ）を軸６３により回動自在に軸止し、複数の先端部材６２のうちの１本を把手部６１の長さ方向に伸ばした状態で使用する。
【００３８】
図示したように、把手部６１は、内部に収納部６５を有する。収納部６５に収納される先端形状の異なる複数個の先端部材６２（６２ａ，６２ｂ，６２ｃ，６２ｄ）を積層し、複数個の先端部材６２の基部を把手部６１の端部近傍に軸６３により回動自在に軸止する。筒型固定部材６４を把手部６１の外周に摺動自在に取付ける。この固定部材６４は、断面Ｃ型に形成するなど、図示した以外のものでも良く、複数の先端部材６２を把手部６１の収納部６５内に収納した状態と、複数の内の１つの先端部材６２を把手部６１の延伸方向に伸ばした状態で固定できれば如何なる固定部材であっても良い。
【００３９】
上記構成のパネル取外し器具は、固定部材６４が摺動自在に取付けてあるので、複数の先端部材６２が把手部６１の収納部６５内に安全に保持できる。固定部材６４を摺動し、複数の内の１本の先端部材６２を回動して把手部６１と同じ方向に延伸し、再度筒型固定部材６４を摺動して軸６３の外側の位置に移動すれば、１本の先端部材６２を延伸した状態が保持できる。
【００４０】
上記構成のパネル取外し器具は、複数の先端部材６２を把手部６１の端部近傍に軸６３により回動自在に軸止し、摺動自在な固定部材６４を外挿したので、必要に応じ所望の先端部材６２を回動して延伸させることができるから、必要に応じ所望の形状の先端部材６２を速やかに延伸させて使える。
【００４１】
尚、上記した本発明のパネル取外し器具は、把手部１，１１，２１、３１，４１，６１の一端に先端部材２，１３，２３，３４，４３，６２を着脱或は回動自在に取付けた実施例を図示し説明しているが、把手部１，１１，２１、３１，４１，６１の両端にも着脱或は回動自在に取付けることで、更に使い勝手が良くなる。図示しないが、基部に棒体を設けた先端部材２３，３４も、図１１に示すように、回動自在とすることもできる。
【００４２】
次に、内装用パネルを下地に取付けたクリップを取外すためのパネル取外し器具としてのクリップ取外し器具について説明する。図１３（ａ）は、クリップ取外し器具の正面図で、（ｂ）は（ａ）の先端部の拡大平面図である。前述のパネル取外し器具との違いは、先端部材の先端形状が異なり二股に分岐されていることであり、前記パネル取外し器具の他の構成をそのままクリップ取外し器具の構成として施すことができる。作用効果の違いは、クリップ取外し器具の場合、先端部材の先端をクリップの頭部と内装用パネルの表面の間に差込み、梃子の作用により引抜くものである。
【００４３】
図示したように、クリップ取外し器具は、棒体で形成した先端部材７０の基部に把手部７１を取付けたものである。先端部材７０の先端７２は薄肉の板状に形成され、分岐された先端７２はＵ型、Ｖ型等の切欠７３を有している。この先端部材７０の把手部７１への取付け方法は、前述の各実施例で説明した把手部１，１１，２１，３１，４１，６１への取付け手段と同様であり、重複する説明は省略する。
【００４４】
上記構成のクリップ取外し器具は、クリップの頭部と内壁用パネルの間に先端部材７０の先端７２を差込み、先端７２の切欠７３にクリップの頚部を嵌め入れ、先端部材７０の「へ」型に折曲された頂点を梃子の支点として把手部を回動させると、内壁用パネルから簡単にクリップを取外せる。この先端部材７０を、前述の各実施例（図３〜図１２参照）に施すと、夫々の実施例の作用効果を供えたクリップ取外し器具が得られる。
【００４５】
次に、自動車部品取外し工具の１種であるホース引抜き工具について説明する。図１４は、ホース引抜き工具の１実施例を示す要部正面図であり、図１５は、ホース引抜き工具の異なる実施例を示す要部正面図である。前述のパネル取外し器具との違いは、先端部材の先端形状が異なることであり、パネル取外し器具の他の構成をそのままホース引抜き工具の構成として施すことができる。作用効果の違いは、ホース引抜き工具の場合、先端部材の先端を配管の外周とホースの間に差込み、把手部を持って強く引っ張るものである。
【００４６】
図示したように、棒体で形成した先端部材８０の基部に把手部８１を取付ける。先端部材８０の先端８２ａ（図１４），８２ｂ（図１５）は錐のように尖らせてあると共にＵ型、Ｖ型、Ｌ型、釣針型等に折曲されており、配管の表面とホースの間にこじ入れて引張り易くなっている。
【００４７】
上記構成のホース引抜き工具は、配管の表面とホースの間に先端部材８０の先端８２ａ，８２ｂを差込み、把手部８１を引張ると、配管からホースが引き剥がされて抜くことができる。この先端部材８０を、前述の各実施例（図３〜図１２参照）に施すと、夫々の実施例の作用効果を供えたホース抜き工具が得られる。
【図面の簡単な説明】
【００４８】
【図１】（ａ）は、本発明のパネル取外し器具の１実施例を示す要部拡大平面図で、（ｂ）は、（ａ）のＡ―Ａ断面図である。
【図２】本発明のパネル取外し器具の異なる実施例を示す平面図である。
【図３】本発明のパネル取外し器具の異なる実施例を示す分解平面図である。
【図４】図３のＢ―Ｂ線断面図である。
【図５】本発明のパネル取外し器具の異なる実施例を示す斜視図である。
【図６】本発明のパネル取外し器具の異なる実施例を示す要部拡大断面図である。
【図７】本発明のパネル取外し器具の異なる実施例を示す要部分解断面図である。
【図８】本発明のパネル取外し器具の異なる実施例を示す要部分解断面図である。
【図９】図８のＣ―Ｃ線切断断面図である。
【図１０】図８のＤ―Ｄ線切断断面図である。
【図１１】本発明のパネル取外し器具の異なる実施例を示す要部平面図である。
【図１２】図１１のＥ―Ｅ線切断断面図である。
【図１３】（ａ）は、本発明のクリップ取外し器具の正面図で、（ｂ）は、本発明のクリップ取外し器具の異なる実施例を示す（ａ）の先端部の拡大平面図である。
【図１４】本発明のホース引抜き工具の１実施例を示す要部正面図である。
【図１５】本発明のホース引抜き工具の異なる実施例の要部正面図である。
【符号の説明】
【００４９】
１      把手部
２      先端部材
２ａ，２ｂ      ２分割された先端部材
２ｃ      尖った角
３      固定部材
４      傾斜面
１１      把手部
１２      把手部の穴
１３      先端部材
１４      固定部材としての板バネ
１５      コ状の折曲部
１６ａ，１６ｂ      折曲片
１７      膨大部
２１      把手部
２２      把手部の穴
２３      先端部材
２４      棒体
２５      筒型の固定部材
２６，２７      ネジ溝
２８      孔
２９      傾斜面
３０      リング（球）
３１      把手部
３２，３５      ネジ溝
３３      ネジ溝付穴
３４      先端部材の基部
３６      固定部材としてのナット
４１      把手部
４２      穴
４３      棒体
４４      筒型固定部材
４５      溝
４６      ネジ溝
４７      突出部
４８      傾斜面
４９      孔
５０      スリット
５１      ネジ溝
５２      傾斜面
５３      突条
６１      把手部
６２(６２ａ，６２ｂ，６２ｃ，６２ｄ)      先端部材
６３      軸
６４      筒型固定部材
６５      収納部
７０      先端部材
７１      把手部
７２      先端部材の先端
７３      先端部材の分岐された先端の切欠
８０      先端部材
８１      把手部
８２ａ，８２ｂ      先端部材の先端
【図１】
2005111639.tif 000003
【図２】
2005111639.tif 000004
【図３】
2005111639.tif 000005
【図４】
2005111639.tif 000006
【図５】
2005111639.tif 000007
【図６】
2005111639.tif 000008
【図７】
2005111639.tif 000009
【図８】
2005111639.tif 000010
【図９】
2005111639.tif 000011
【図１０】
2005111639.tif 000012
【図１１】
2005111639.tif 000013
【図１２】
2005111639.tif 000014
【図１３】
2005111639.tif 000015
【図１４】
2005111639.tif 000016
【図１５】
2005111639.tif 000017